【事件の表示】
　特願２００３−　７０７４４「自動合焦装置」拒絶査定不服審判事件〔平成１６年１０月　７日出願公開、特開２００４−２７９７２１〕について、次のとおり審決する。
【結　論】
　本件審判の請求は、成り立たない。
【理　由】
第１　手続の経緯
　本願は、平成１５年（２００３年）３月１４日に出願された特願２００３−７０７４４号であって、平成２１年６月３日付けで拒絶査定がなされ、これに対し平成２１年９月８日に拒絶査定不服審判の請求がなされ、当該請求と同時に手続補正がなされた。
　その後、当審において平成２３年１月１２日付けで拒絶理由の通知をし、これに対して同年３月１０日付けで意見書が提出され、同日付けで手続補正がなされた。
　
第２　本願発明  
　本願の請求項１に係る発明（以下「本願発明」という。）は、平成２３年３月１０日付けの手続補正により補正された特許請求の範囲の請求項１に記載された事項により特定される次のとおりのものである。
　
「光軸方向に駆動可能なフォーカスレンズと、
　該フォーカスレンズの後段にあって光電変換により画像情報を電気信号に変換する撮像素子と、
　所定単位時間ごとに前記画像情報に基づく評価値を算出する制御部と、
　前記評価値に基づき山登り方式によって合焦位置を導出する合焦位置導出部とを有する自動合焦装置において、
　前記フォーカスレンズを駆動しながら露光を行い、前記所定単位時間ごとに露光を行う前記撮像素子の露光時間を取得する露光時間取得手段と、
　前記所定単位時間ごとの露光開始時点の前記フォーカスレンズの位置を、前記フォーカスレンズの位置の代表値として取得する代表値取得手段と、
　前記フォーカスレンズ位置の代表値と該代表値に対応する前記評価値を組とした値を２以上の次元数の座標空間へ描点し、前記描点に基づき所定の補間関数を導出する補間関数導出手段と、を有し、
　前記合焦位置導出部は、前記補間関数導出手段により導出された前記補間関数を、前記評価値を取得する際の前記撮像素子による露光開始時点のフォーカスレンズ位置から露光終了時点のフォーカスレンズ位置までの距離の１／２に相当する分だけシフトし、該シフトされた補間関数に基づき合焦位置を導出することを特徴とする自動合焦装置。」
　
第３　引用例
１　当審が通知した拒絶の理由に引用された、本願の出願前に頒布された刊行物である特開平９−２００５９７号公報（以下「引用例」という）には、次の事項が記載されている。（下線は当審において付した。）
　
「【０００１】
【発明の属する技術分野】本発明は撮像レンズを駆動して自動的に合焦点検出を行う
自動焦点検出装置
【０００２】
【従来の技術】従来、自動合焦方式の１つとして、撮像素子を用いる撮像装置において、合焦用レンズ（或いは撮像レンズ）を繰り出し、または繰り込むときの映像信号に基づき、その合焦度合いを示す被写体のコントラスト情報（コントラスト値）を得て、その値が最大となる位置（最大コントラスト位置）を合焦位置と判断して、その位置に合焦用レンズを駆動する方式のものがあった。
【０００３】この合焦方式は
「山登り方式」
　
「【０００７】
【発明が解決しようとする課題】しかし、従来方式の映像信号を生成する同期信号に非同期に合焦用レンズを駆動させる合焦方式で、合焦用エリア内の合焦度合いを示すコントラスト情報を生成する間は合焦用レンズの駆動を止めている。これでは、合焦エリアが大きくなれば、それに対応して、コントラスト情報を生成するのに時間がかかり、そのために合焦用レンズを駆動できる時間が少なくなり、合焦動作が完了するまでの合焦時間が遅延する問題点があった。
【０００８】その他、合焦用レンズ位置を３点でコントラスト値を得て合焦速度を上げる方式は、結像系の位置調整範囲の中央位置が最大コントラスト位置であれば、これを合焦位置と判定するため、高速化が図れるが、そうでなければ、コントラスト値の高い側がどちらの位置であるかを判定し、コントラスト値の検出位置を前記コントラスト値の高い位置の側に移行しながら最大コントラスト位置かどうかによって順次合焦であるかを判定する。つまり、合焦位置が位置調整範囲の中央位置でなければ、従来から知られている、「山登り方式」を順次実行するだけであり、合焦速度の高速化が望めない。
【０００９】合焦動作の際、ＡＦエリアを複数個有し、各ＡＦエリア内のコントラスト値を同時にモニタし、最適なエリアに切り換えるものについて、合焦速度を上げるために撮像素子に被写体光を蓄積積分している間もレンズ駆動させた場合、各ＡＦエリア（特に垂直方向に分割されている場合）で得られるコントラスト値とそれに対応した合焦用レンズ位置にそれぞれずれが生じるため、正確な合焦動作ができなくなる問題点がある。
【００１０】本発明は以上説明した問題点に鑑みてなされたもので、合焦点検出を高速に行うことができる自動焦点検出装置を提供することを目的とする。」
　
「【００１３】 図１に示すように本撮像装置１は、主に、
被写体を撮像するためにその光学像を結ぶ撮像レンズ２と、この撮像レンズ２の光軸Ｏ上の所定位置にその受光面（或いは撮像面）が垂直に配置され、受光面に結像された被写体の光学像を電気信号に変換する撮像素子３と
撮像素子３に対して撮像信号増幅やサンプルホールド、Ａ／Ｄ変換、γ補正、輝度／色変換処理等を行い、輝度信号Ｙ等を生成する撮像処理回路（或いは映像信号処理回路）４と、
前記撮像レンズ２を光軸Ｏ方向に移動し、撮像素子３の合焦位置に駆動する駆動モータ（合焦用モータとも記す）７と、
合焦の程度を評価するためのコントラスト値を得るために輝度信号Ｙから高周波成分を抽出するバンドパスフィルタ（ＢＰＦ回路）９と、
前記撮像レンズ２を最大のコントラスト値が得られる合焦位置に設定するための演算処理を行う演算処理回路１０と、
　
「【００１９】本実施の形態では、垂直同期信号ＶＤ，水平同期信号ＨＤは演算処理回路１０の割り込み端子に印加され、ＡＦ，ＡＥ，ＷＢ等の処理に利用される。かつ、演算処理回路１０は合焦判別手段や撮像レンズ２のレンズ位置の管理を行い、更に、合焦位置検出処理に加えて、ＡＦ動作時にモータドライブ回路８を介して合焦用モータ７をステップ駆動し、撮像レンズ２を所定の位置に移動せしめる制御手段、ＡＥによる撮像素子３の蓄積積分時間を可変（以下、素子シャッタと略記）する手段を内蔵している。
【００２０】 以下に説明するように本実施の形態では、ＡＦ動作時に（撮像レンズ駆動装置を構成するモータ７に駆動パルスを印加して）撮像レンズ２を光軸Ｏ方向にステップ駆動し、その駆動中における撮像信号からコントラスト値を生成する。そしてそのコントラスト値に対応するレンズ位置を、撮像素子３の蓄積積分期間に撮像レンズ２を駆動した駆動量（具体的にはステップ数）の中心（但し、等速で駆動した場合）等とすることにより、コントラスト値を生成するまで、レンズ駆動を停止させることを不要にして、短時間に合焦点検出を行うことができるようにしている。
【００２１】自動焦点検出装置に対して相対的に被写体を固定（静止）させ、明るさが一定の条件下で撮像レンズ２を光軸方向にある距離離れた２つの撮像レンズ位置（単にレンズ位置と略記）ｄ１，ｄ２でコントラスト値を取得した結果を図２に示す。その結果、レンズ位置ｄ１でコントラスト値Ｃ１，レンズ位置ｄ２でコントラスト値Ｃ２となった（シャッタ速度を１／６０秒に固定し、かつ、１フィールドの映像期間に相当する１ＶＤ期間が１／６０秒とする）。
【００２２】 さらに、この条件下で２つのレンズ位置ｄ１，ｄ２間を等速度で撮像レンズ２を駆動させた（２つのレンズ位置ｄ１，ｄ２間を１／６０秒で撮像レンズ２を駆動する）場合、得られるコントラスト値は略（Ｃ１＋Ｃ２）／２であり、このコントラスト値に対応するレンズ位置は略（ｄ１＋ｄ２）／２であることは実験で求められる。
【００２３】上記撮像レンズ２を駆動した場合におけるコントラスト値及びレンズ位置の関係を利用することにより、本実施の形態ではＡＦ処理を実施する場合は、撮像素子３に蓄積積分される間に駆動したステップ数の略中心を合焦処理に利用するステップ数とする。
【００２４】 換言すると、上記コントラスト値及びレンズ位置の関係を利用することにより、撮像レンズ２を駆動中にもＡＦ処理のコントラスト値及びそのコントラスト値に対応するレンズ位置を得られるようにして、従来例におけるＡＦ処理のコントラスト値を得るまでは撮像レンズの駆動を停止させることを不要として、短時間或いは高速に合焦点の検出を行えるようにしている。
【００２５】 より具体的には
撮像レンズ２を駆動し、その駆動中に
撮像信号における高周波成分の出力値（つまりコントラスト値）
その蓄積積分時間で駆動（移動）した撮像レンズ２のレンズ移動量の中心位置等をそのコントラスト値に対応するレンズ位置とする
【００２６】 図３において、（Ａ）は垂直同期信号ＶＤ，（Ｂ）はレンズ駆動パルス（ステップ数）を示し、（Ｃ）は各フィールドｎ，ｎ＋１，ｎ＋２の蓄積積分時間を示し、（Ｄ）は各蓄積積分時間の中心を示している。また、撮像素子３の撮像エリア或いは光電変換エリアの全域を合焦点検出に利用する場合で説明する。
【００２７】 また、簡単化のため撮像同期信号は、映像信号の同期信号と一致させている。つまり、
映像信号の垂直同期信号ＶＤと同期させて撮像素子３に蓄積積分された撮像信号
【００２８】 この図３に示すように
各露光時間或いは蓄積積分時間を１／６０秒にした場合、
【００２９】 同様にｎ＋１フィールド目の映像信号から得られたコントラスト値は１２パルス目、ｎ＋２の映像信号から得られたコントラスト値は１９パルス目として利用すれば良い。よって、
撮像素子３に蓄積積分される間に駆動したパルス（ステップ）数の略中心のステップ数
【００３０】 つまり、図３（Ａ），（Ｂ）に示すように本実施の形態では、撮像レンズ２を駆動するモータ７に与えるレンズ駆動パルスを撮像を行う同期信号とは非同期であって、この同期信号とは独立に発生させるようにして、同期信号と同期を取るための待ち時間を不必要として、レンズ駆動を高速に行う（或いはレンズ駆動時間を多くとれる）ようにしている。もっとも、図３では蓄積積分時間の中心に対応するレンズ駆動パルスの位置或いはこのレンズ駆動パルスの位置に対応するレンズ位置を検出する手段を有する。
【００３１】この蓄積積分時間の中心を求める実施の形態を蓄積積分時間を可変の場合に対して図４を参照して説明する。図４の（Ａ）〜（Ｃ）は図３の（Ａ）〜（Ｃ）と同様の意味であり、図４（Ｄ）は蓄積積分時間の中心のタイミングを第１タイマで計測する作用を示し、図４（Ｅ）は蓄積積分時間の中心のタイミングを第２タイマでより詳細に計測する作用を示している。
【００３２】また、説明の都合上、前提条件として、素子シャッタを可変する場合、素子シャッタによる蓄積積分期間の終了位置が常に１サンプリング期間（１ＶＤ期間）の終了位置と一致しているとする。
【００３３】素子シャッタを使用する場合、その素子シャッタによる蓄積積分時間は既知のため、下記（１）式によって蓄積積分時間の中心が求められる。  
　蓄積積分時間の中心までの時間
　　　　＝１サンプリング期間−素子シャッタ時間／２　…（１）
　　　　（ここで、素子シャッタ時間＝蓄積積分時間）
となる（ＮＴＳＣの場合１サンプリング時間は１／６０秒となる）。
【００３４】よって、制御としては、垂直同期信号ＶＤの立ち上がりで演算処理回路１０の第１タイマを駆動させ、（１）式より求めた蓄積積分時間の中心までの時間が経過した時点のレンズのステップ数をメモリする（図４では７ステップ）。このメモリされたステップ数が現在蓄積積分されている映像信号から得られるコントラスト値のステップ数に対応する。
【００３５】これは、合焦動作中にＡＥによって素子シャッタ時間が可変した場合でも（１）式を利用し蓄積積分時間の中心までの時間が正確に求められるため、ＡＦ精度が悪化することがない。
以上は、撮像素子３の蓄積積分期間中は等速でステップ駆動を行うことが前提である。
　
「【００５３】上記説明してきた撮像素子３で蓄積積分される間に、撮像レンズ２を駆動したステップ数の略中心を利用する合焦方式で、レンズ駆動を高速にすると真の合焦位置（合焦動作時に取得したコントラスト値の最大値を示した撮像レンズ位置ではなく、撮像レンズ２を無限に細かく駆動させながらコントラスト値を取得し、そのコントラスト値が最大値を示した撮像レンズ位置を指す）と、実際に得られる合焦位置が大きくずれ、そのずれ量が焦点深度でカバーできなければ偽合焦になる。
【００５４】この状況を図９で説明する。横軸が撮像レンズのレンズ位置で、縦軸が各レンズ位置に対応したコントラスト値である。また、撮像レンズ位置ｄｔが真の合焦位置であり、かつ、ｄ０からｄ６までサンプリングして、それぞれコントラスト値Ｃ０からＣ６が対応して得られる。
【００５５】このとき、ＡＦ動作はｄ０からｄ６方向へ順に撮像レンズ２を駆動し各レンズ位置に対応したコントラスト値を取得していく。レンズ位置がｄ５に到達したとき、コントラスト値の最大がレンズ位置ｄ４で得られたことが認識され、撮像レンズ２を位置ｄ４に移動し、ＡＦ動作を終了する。しかし、実際（真）の合焦位置はｄｔであり、かつ、レンズ位置ｄ４は焦点深度でもカバーできない範囲のため、ＡＦ動作は偽合焦となってしまう。上記問題点の解決法として、以下に説明する。
【００５６】図１０のようなグラフが得られた場合（１サンプリング間に１０ステップ駆動を前提）、サンプリング毎に得られたコントラスト値の最大値と、その両端２点のコントラスト値とそれぞれに対応したレンズ位置を利用する。まず、両端２点とのコントラスト値の差を求める。
【００５７】ΔＣL ＝Ｃx −Ｃx-1 
ΔＣR ＝Ｃx −Ｃx+1 
このとき、得られたコントラスト値の最大値から見て、その両端２点の内、コントラスト値が大きい方に真の合焦位置が存在する。図１０の場合、ｄx-1 からｄx の間に真の合焦位置が存在する（撮像レンズ駆動が等速の場合は（ｄx ＋ｄx-1 ）／２からｄx の間に真の合焦位置が存在する）。
【００５８】 後は、ΔＣL ，ΔＣR の比を利用することにより、真の合焦点に近付ける。方法は、まず、図１１の表（１サンプリング間に１０ステップ駆動を前提に作成）に従ってレンズ位置の補正値を求める。
【００５９】このとき、
ΔＣL ≦ΔＣR の場合　Ｓ＝ΔＣR ／ΔＣL 
ΔＣL ＞ΔＣR の場合　Ｓ＝ΔＣL ／ΔＣR 
但し、ΔＣL ，ΔＣR のいずれかが０の場合は補正値は０
とする。図１１の表で求めた補正値分をコントラスト値の最大値が得られたレンズ位置から真の合焦位置がある方向に駆動すれば良い。
【００６０】 例えば、図１０でＳが２．２の場合、表より補正値は２である。よって、合焦位置（この場合、ｄx ）からレンズ位置ｄx-1 の方向に２ステップ駆動すれば良い。こうすることで、１サンプリング期間の間に撮像レンズ２を高速に（多く）駆動させても、真の合焦位置近傍を容易に予測でき、合焦精度を上げることが可能となる。」
　
「【図３】
　　　　　　　　　　　　　　　　　　　　　　　　　　　　　　　　」
　
「【図１０】
　　　　　　　　　　　　　　　　　　　　　　　　　　　　　」
　
２　引用例に記載された発明の認定 
　上記記載（図面の記載も含む）から、引用例には、
「被写体を撮像するためにその光学像を結ぶ撮像レンズ２と、
　この撮像レンズ２の光軸Ｏ上の所定位置に撮像面が垂直に配置され、撮像面に結像された被写体の光学像を電気信号に変換する撮像素子３と、
　撮像素子３に対して撮像信号増幅やサンプルホールド、Ａ／Ｄ変換、γ補正、輝度／色変換処理等を行い、輝度信号Ｙ等を生成する撮像処理回路４と、合焦の程度を評価するためのコントラスト値を得るために輝度信号Ｙから高周波成分を抽出するバンドパスフィルタ９と、
　前記撮像レンズ２を光軸Ｏ方向に移動し、撮像素子３の合焦位置に駆動する駆動モータ７と、
　前記撮像レンズ２を最大のコントラスト値が得られる合焦位置に設定するための演算処理を行う演算処理回路１０を備えた山登り方式の自動焦点検出装置であって、
　１／６０秒の蓄積積分時間において、撮像信号が撮像素子３に蓄積積分され、
　その蓄積積分された撮像信号における高周波成分の出力値であるコントラスト値が、蓄積積分時間で駆動（移動）した撮像レンズ２のレンズ移動量の中心位置に対応するコントラスト値であるとする自動焦点検出装置。」の発明（以下、「引用発明」という。）が記載されている。
　
第４　対比
１　本願発明と引用発明との対比
（１）本願発明と引用発明の対比
　
ア　本願発明と引用発明を対比する。
（ア）引用発明の「駆動モータ７」によって「駆動」され、「光軸Ｏ方向に移動」する「撮像レンズ２」が、本願発明の「光軸方向に駆動可能なフォーカスレンズ」に相当する。
　
（イ）引用発明の「撮像レンズ２の光軸Ｏ上の所定位置に撮像面が垂直に配置され、撮像面に結像された被写体の光学像を電気信号に変換する撮像素子３」が、本願発明の「該フォーカスレンズの後段にあって光電変換により画像情報を電気信号に変換する撮像素子」に相当する。
　
（ウ）引用発明の「１／６０秒の蓄積積分時間において」「撮像信号」が「蓄積積分され」る「撮像素子３」に「対して撮像信号増幅やサンプルホールド、Ａ／Ｄ変換、γ補正、輝度／色変換処理等を行い、輝度信号Ｙ等を生成する撮像処理回路４」及び「合焦の程度を評価するためのコントラスト値を得るために輝度信号Ｙから高周波成分を抽出するＢＰＦ回路９」が、本願発明の「所定単位時間ごとに前記画像情報に基づく評価値を算出する制御部」に相当する。
　
（エ）引用発明の「山登り方式の自動焦点検出装置」が備えた「撮像レンズ２を最大のコントラスト値が得られる合焦位置に設定するための演算処理を行う演算処理回路１０」が、本願発明の「前記評価値に基づき山登り方式によって合焦位置を導出する合焦位置導出部」に相当する。
　
（オ）引用発明の「自動焦点検出装置」が、本願発明の「自動合焦装置」に相当する。
　
（カ）引用発明の「撮像信号」が「蓄積積分され」る「１／６０秒の蓄積積分時間」が本願発明の「所定単位時間ごとに露光を行う前記撮像素子の露光時間」に相当し、そして、引用発明においては「蓄積積分時間（露光時間）」である「１／６０秒」は取得されているのであるから、引用発明が本願発明の「前記フォーカスレンズを駆動しながら露光を行い、前記所定単位時間ごとに露光を行う前記撮像素子の露光時間を取得する露光時間取得手段」を有すること明らかである。
　
（キ）引用発明の「１／６０秒の蓄積積分時間」は当然に「蓄積積分の開始の時点」から「蓄積積分の終了の時点」までの時間であり、引用発明の上記の「蓄積積分の開始の時点」が本願発明の「所定単位時間ごとの露光開始時点」に相当する。そして、引用発明において「蓄積積分の開始の時点」の「撮影レンズ２の位置」を想定することができ、引用発明の上記「蓄積積分の開始の時点の撮影レンズ２の位置」が本願発明の（「所定単位時間ごとの露光開始時点の前記フォーカスレンズの位置」である）「フォーカスレンズの位置の代表値」に相当する。
　引用発明の「蓄積積分時間」が本願発明の「露光時間」に相当し、また、引用発明の「コントラスト値」が本願発明の「評価値」に相当する。
　引用発明の「蓄積積分時間で駆動（移動）した撮像レンズ２のレンズ移動量の中心位置」は、「蓄積積分の開始の時点」のレンジ位置から、「蓄積積分の開始の時点」から「蓄積積分の終了の時点」までの時間のレンズの移動量の１／２に相当する分だけシフトした位置といえる。
　一方で、本願発明における「描点に基づき所定の補間関数を導出」し、「導出された前記補間関数」を「シフト」することについては、補間関数のグラフ上に上記の描点が乗っており、補間関数をシフトすることによってその上の描点も同様にシフトされることになり、また、逆に、描点をシフトすれば、当該描点が上に乗るグラフである補間関数も同様にシフトされることになるのであるから、本願発明において、「描点に基づき所定の補間関数を導出」し、「導出された前記補間関数」を「シフト」したことは、「描点」を「シフト」することと同じ意味を有するものであるといえる。そして、「シフトされた補間関数に基づき合焦位置を導出する」ことは、「シフト」された「描点」が乗っている補間関数に基づき合焦位置を導出することであり、結局は、「シフト」された「描点」に基づき合焦位置を導出することであるということもできる。
　以上を踏まえると、引用発明の「１／６０秒の蓄積積分時間において、撮像信号が撮像素子３に蓄積積分され、その蓄積積分された撮像信号における高周波成分の出力値であるコントラスト値が、蓄積積分時間で駆動（移動）した撮像レンズ２のレンズ移動量の中心位置に対応するコントラスト値であるとする」こと、及び、「撮像レンズ２を最大のコントラスト値が得られる合焦位置に設定するための演算処理を行う」ことと、本願発明の「前記フォーカスレンズ位置の代表値と該代表値に対応する前記評価値を組とした値を２以上の次元数の座標空間へ描点し、前記描点に基づき所定の補間関数を導出する補間関数導出手段と、を有し、前記合焦位置導出部は、前記補間関数導出手段により導出された前記補間関数を、前記評価値を取得する際の前記撮像素子による露光開始時点のフォーカスレンズ位置から露光終了時点のフォーカスレンズ位置までの距離の１／２に相当する分だけシフトし、該シフトされた補間関数に基づき合焦位置を導出する」こととは、「前記所定単位時間ごとの露光開始時点の前記フォーカスレンズの位置である代表値と該代表値に対応する前記評価値を組とした値（代表値、評価値）を、前記評価値を取得する際の前記撮像素子による露光開始時点のフォーカスレンズ位置から露光終了時点のフォーカスレンズ位置までの距離の１／２に相当する分だけシフトし、該シフトされた値（シフトされた代表値、評価値）に基づき合焦位置を導出する」ことで一致する。
　
２　一致点
　よって、本願発明と引用発明とは、
「光軸方向に駆動可能なフォーカスレンズと、
　該フォーカスレンズの後段にあって光電変換により画像情報を電気信号に変換する撮像素子と、
　所定単位時間ごとに前記画像情報に基づく評価値を算出する制御部と、
　前記評価値に基づき山登り方式によって合焦位置を導出する合焦位置導出部とを有する自動合焦装置において、
　前記フォーカスレンズを駆動しながら露光を行い、前記所定単位時間ごとに露光を行う前記撮像素子の露光時間を取得する露光時間取得手段を有し、
　前記所定単位時間ごとの露光開始時点の前記フォーカスレンズの位置である代表値と該代表値に対応する前記評価値を組とした値（代表値、評価値）を、前記評価値を取得する際の前記撮像素子による露光開始時点のフォーカスレンズ位置から露光終了時点のフォーカスレンズ位置までの距離の１／２に相当する分だけシフトし、該シフトされた値（シフトされた代表値、評価値）に基づき合焦位置を導出する自動合焦装置。」
の発明である点で一致し、次の各点で相違する。
　
３　相違点
（１）相違点１
　「合焦位置を導出する」ための「シフトされた値（シフトされた代表値、評価値）」の取得に関して、本願発明は、直接的には「所定単位時間ごとの露光開始時点の前記フォーカスレンズの位置を、前記フォーカスレンズの位置の代表値として取得」する、すなわち、「露光開始時点のフォーカスレンズの位置を取得する」のに対して、引用発明においては、その点の限定がない点。
　
（２）相違点２
　「合焦位置を導出する」に際して、本願発明においては「補間関数（シフトされた補間関数）」を導出するのに対して、引用発明においては、その点の限定がない点。
　
第５　当審の判断
１　上記相違点について検討する。
（１）相違点１について
　引用発明においても、「合焦位置を導出する」ためのレンズ位置は、蓄積積分開始（露光開始）時点のレンズの位置に、蓄積積分（露光）時間のレンズ駆動量の１／２加えた位置として求めているものであることは明らかであるから、上記相違点１に係る本願発明の発明特定事項は当業者にとって自明の事項に過ぎず、当業者が容易に想到し得たことである。
　なお、引用発明においては、露光開始時点のフォーカスレンズの位置を取得することなく、直接、シフトされた値に相当する「蓄積積分時間で駆動（移動）した撮像レンズ２のレンズ移動量の中心位置」と「それに対応するコントラスト値」を取得するものであったとしても、「合焦位置を導出する」ために、何を直接的に取得（測定、計測）するかの違いについては、合焦位置を得るための具体化の手段が異なるとはいえるものの、結果として同じ合焦位置が導出されるのであり、また、上記の具体化の手段の相違によって作用・効果に何らの差異を生じるものでもないから、単なる設計上の微差に過ぎない。
　
（２）　相違点２について
　「山登り方式」の自動焦点検出装置において、「レンズ位置」と「対応する評価値（コントラスト値）」の関係（の関数）から合焦位置を求めるに際して、補間して正確な合焦位置を求めることは周知の技術である（引用例においても【００５３】〜【００６０】、【図１０】に記載されている）から、本願発明において「補間関数」を導出し、それを用いて合焦位置を求めた点については、単に周知技術を付加したものに過ぎず、当業者が容易に想到し得たことである。
　
２　そして、本願発明によってもたらされる効果は、引用発明から当業者が予測し得る程度のものである。
　
３　したがって、本願発明は、引用発明に基いて当業者が容易に発明をすることができたものである。
　
第６　むすび
　以上のとおり、本願発明は、引用発明に基いて当業者が容易に発明をすることができたものであるから、特許法第２９条第２項の規定により特許を受けることはできない。
　したがって、その余の請求項に係る発明について論及するまでもなく、本願は拒絶すべきものである。
　
　よって、結論のとおり審決する。